(57)【要約】【課題】連続搬送が止まったときに装置内に残留する用紙枚数に応じた情報を報知する原稿読取装置および処理装置の提供を図る。【解決手段】原稿載置台４は原稿１０を載置する。ピックアップローラ６によって複数の原稿は紙間なく搬送路に給紙される。高速搬送ローラ８によって搬送路を搬送される複数の原稿の間には紙間が形成される。センサ５Ａは原稿載置台４で原稿１０の有無を検出する。センサ５Ｂは原稿間に紙間が形成される位置に設けられて原稿１０の有無を検出する。原稿読取部７はセンサ５Ｂにより紙間が判定された原稿ごとに画像を読み取る。制御部３は、原稿１０の搬送停止から遅れてピックアップローラ６および高速搬送ローラ８による原稿搬送を中止する制御を行い、センサ５Ａとセンサ５Ｂとがともに原稿１０を検出していれば、表示部２に対して、原稿載置台４に載置し直すべき原稿の枚数が複数枚で有ることに関する情報の報知を行わせる。【選択図】図１
2010016682.tif 000002
【特許請求の範囲】
【請求項１】
複数の原稿を載置可能な原稿載置台と、
前記原稿載置台の上方に上下動および回転自在に設けられる給紙部材と、
前記給紙部材により給紙される複数の原稿が紙間なく搬送される上流搬送路と、
前記上流搬送路の下流に設けられ、前記上流搬送路から搬入される複数の原稿が原稿間に紙間が形成された状態で搬送される下流搬送路と、
前記下流搬送路に設けられ、前記給紙部材よりも高速に原稿を搬送する高速搬送部材と、
前記上流搬送路または前記原稿載置台に設けられ、原稿の有無を検出する上流側センサと、
原稿の搬送方向の寸法よりも長い距離だけ前記上流側センサから下流側に離れて前記下流搬送路に設けられ、原稿の有無を検出する下流側センサと、
前記下流搬送路の前記下流側センサよりもさらに下流に設けられ、原稿の画像を読み取る原稿読取部と、
前記下流側センサによる検出状態が一定の時間維持された際に、前記給紙部材および前記高速搬送部材による原稿搬送を中止する搬送中止制御を行うとともに、前記搬送中止制御の後の前記上流側センサと前記下流側センサとの検出結果の組み合わせに応じた報知情報を出力する制御部と、
前記制御部から入力される前記報知情報に応じた報知を行う報知部と、を備え、
前記制御部は、前記搬送中止制御の後に前記上流側センサと前記下流側センサとがともに原稿を検出していれば、前記原稿載置台に載置し直すべき原稿の枚数が複数枚で有る旨の報知情報を出力する、
原稿読取装置。
【請求項２】
前記下流側センサは、原稿の搬送方向の寸法よりも短い距離だけ前記給紙部材から下流側に離れた位置に設けられ、
前記制御部は、前記搬送中止制御の後に前記上流側センサのみが原稿を検出していれば、前記原稿載置台に載置し直すべき原稿の枚数が１枚で有る旨の報知情報を出力する、
請求項１に記載の原稿読取装置。
【請求項３】
前記制御部は、前記搬送中止制御の後に前記下流側センサのみが原稿を検出していれば、前記原稿載置台に載置し直すべき原稿の枚数が１枚で有る旨の報知情報を出力する、
請求項２に記載の原稿読取装置。
【請求項４】
請求項１〜３のいずれかに記載の原稿読取装置と、前記原稿読取装置の前記原稿読取部にて読み取られた画像を記録紙に形成する画像形成部と、を備え、
前記制御部は、前記画像形成部に設けられていて、前記搬送中止制御時に、前記画像形成部の動作も中止させる、
画像形成装置。
【発明の詳細な説明】
【技術分野】
【０００１】
本発明は、ジャム等による搬送停止時に、搬送路に残った原稿を原稿載置台に載置し直すように利用者に促す、原稿読取装置および画像形成装置に関する。
【背景技術】
【０００２】
複写機として、ジャム等によって画像形成処理や原稿読取処理をやり直す必要が生じた場合に、給紙枚数に基づいて原稿載置台に戻すべき原稿の枚数を把握し、その旨の表示を行うものがある（例えば、特許文献１参照。）。
【０００３】
また、複写機やスキャナなどに設けられて、原稿読取処理する原稿の給紙を行う自動原稿搬送装置（ＡＤＦ）として、複数の原稿を紙間なく連続して搬送路に給紙し、搬送路中で原稿の搬送速度を速めることで原稿間に紙間を形成するものがある。このようなＡＤＦの場合、原稿のサイズによらずに各原稿の画像読取タイミングを適切に調整するために、搬送される原稿の間に形成される紙間をセンサで検出していた。また、原稿載置台上の原稿の有無に基づいて給紙動作を終了させるために、原稿載置台上の原稿の有無をセンサで検出していた。
【特許文献１】特開平７−１３１５６９号公報
【発明の開示】
【発明が解決しようとする課題】
【０００４】
複数の原稿を紙間なく連続して搬送路に給紙するＡＤＦでは、紙間のない状態で給紙される原稿の給紙枚数を把握することが難しかった。このため、ジャム等により搬送路内に原稿が残留する際に、搬送路に残留する原稿の枚数を把握できず、復帰作業の具体的内容を利用者に指示することができなかった。
【０００５】
そこで、本発明の目的は、複数の原稿を紙間なく連続して搬送路に給紙する構成で、従来から設けられていたセンサを用いて、ジャム等による搬送停止が起こったときに装置内に残留する原稿の枚数を推定し、その枚数に応じた情報を報知して復帰作業の具体的内容を利用者に指示することができる原稿読取装置および処理装置を提供することにある。
【課題を解決するための手段】
【０００６】
本発明の原稿読取装置は、原稿載置台、給紙部材、上流搬送路、下流搬送路、高速搬送部材、上流側センサ、下流側センサ、原稿読取部、制御部、および、報知部を備える。原稿載置台は、複数の原稿を載置可能である。給紙部材は、原稿載置台の上方に上下動および回転自在に設けられる。上流搬送路は、給紙部材により給紙される複数の原稿が紙間なく搬送される。下流搬送路は、上流搬送路の下流に設けられ、上流搬送路から搬入される複数の原稿が原稿間に紙間が形成された状態で搬送される。高速搬送部材は、下流搬送路に設けられ、給紙部材よりも高速に原稿を搬送する。上流側センサは、上流搬送路または原稿載置台に設けられ、原稿の有無を検出する。下流側センサは、原稿の搬送方向の寸法よりも上流側センサから下流側に離されて下流搬送路に設けられ、原稿の有無を検出する。原稿読取部は、下流搬送路の下流側センサよりもさらに下流に設けられ、原稿の画像を読み取る。制御部は、下流側センサによる検出状態が一定の時間維持される際に、給紙部材および高速搬送部材による原稿搬送を中止する搬送中止制御を行う。また、搬送中止制御の後の上流側センサと下流側センサとの検出結果の組み合わせに応じた報知情報を出力する。報知部は、制御部から入力される報知情報に応じた報知を行う。ここで、制御部は、搬送中止制御の後に上流側センサと下流側センサとがともに原稿を検出していれば、報知部に対して、原稿載置台に載置し直すべき原稿の枚数が複数枚で有る旨の報知情報を出力する。
【０００７】
この構成では、下流側センサの検出信号がＯＮしている場合、下流搬送路に留まる原稿が存在することになる。さらに上流側センサの検出信号がＯＮしている場合には、下流搬送路に留まる原稿に後続する次原稿が既に給紙されていることになる。したがって、下流側センサと上流側センサとが共にＯＮしている場合、複数枚の原稿が上流搬送路および下流搬送路に残留していることになるので、載置し直すべき原稿の枚数が複数枚で有る旨の報知情報に応じた報知を行う。
【０００８】
下流側センサは、原稿の搬送方向の寸法よりも短い距離だけ給紙部材から下流側に離れた位置に設けられ、制御部は、搬送中止制御の後に上流側センサのみが原稿を検出していれば、原稿載置台に載置し直すべき原稿の枚数が１枚で有る旨の報知情報を出力すると好適である。
【０００９】
この構成では、下流側センサよりも上流側には、原稿１枚分よりも短い距離しか搬送路が存在しない。このため、搬送中止制御の後に上流側センサのみが原稿を検出していれば、既に給紙されている原稿が、下流側センサよりも上流側に１枚だけ存在する可能性が高い。そこで、原稿の枚数が１枚で有る旨の報知情報に応じた報知を行う。
【００１０】
制御部は、搬送中止制御の後に下流側センサのみが原稿を検出していれば、原稿載置台に載置し直すべき原稿の枚数が１枚で有る旨の報知情報を出力すると好適である。
【００１１】
この構成では、搬送中止制御の後に下流側センサのみが原稿を検出していれば、下流側センサの検出する原稿の後に給紙された原稿がなく、下流側センサが検出する原稿が１枚だけ存在する可能性が高い。そこで、原稿の枚数が１枚で有る旨の報知情報に応じた報知を行う。
【００１２】
本発明の画像形成装置は、上述の原稿読取装置と、原稿読取装置で読み取った原稿画像を記録紙に形成する画像形成部と、を備えると好適である。
【発明の効果】
【００１３】
本発明は、複数の原稿を紙間なく連続して搬送路に給紙する構成で、従来から設けられていたセンサを用いて、ジャム等による搬送停止が起こったときに装置内に残留する原稿の枚数を推定でき、その推定した枚数に応じた報知情報を報知するので、復帰作業の具体的内容を利用者に指示することができる。
【発明を実施するための最良の形態】
【００１４】
まず、本発明に係る原稿読取装置の実施形態を説明する。
【００１５】
図１は、原稿読取装置１の概略のブロック図である。
【００１６】
原稿読取装置１は、表示部２、制御部３、原稿載置台４、センサ５Ａ，５Ｂ、ピックアップローラ６、原稿読取部７、高速搬送ローラ８、および搬送路９を備える。
【００１７】
原稿載置台４は、原稿１０を複数枚載置可能である。ピックアップローラ６は本発明の給紙部材に相当し、原稿載置台４の上方に上下動および回転自在に設けられ、原稿載置台４の給紙方向の下流端から若干上流側の位置で、周面が原稿載置台４に載置された原稿１０の最上面に接触する。したがって、ピックアップローラ６の回転により、搬送路９には端部同士が重なった状態で連続して複数の原稿１０が給紙される。このため、搬送路９の上流側が本発明の上流搬送路９Ａに相当する。
【００１８】
高速搬送ローラ８は本発明の高速搬送部材に相当し、搬送路９の排紙口付近に配置されている。ここでは、ピックアップローラ６と高速搬送ローラ８との間隔を、原稿の搬送方向の寸法と略等しくしていて、原稿１０がピックアップローラ６から離れる際に、高速搬送ローラ８がその原稿１０を挟むようにしている。また、高速搬送ローラ８は、接触する原稿１０をピックアップローラ６よりも速い搬送速度で搬送する。したがって、高速搬送ローラ８が搬送する原稿は搬送速度が速くなり、搬送路９の下流側で、この原稿と後続する原稿との間に紙間が形成されることになる。このため、搬送路９の下流側が本発明の下流搬送路９Ｂに相当する。
【００１９】
原稿読取部７は、高速搬送ローラ８よりも搬送方向の上流側に配置されていて、対向する原稿の画像面から画像を読み取る。センサ５Ａは、原稿載置台４に設けられ、原稿の有無を検出する。センサ５Ａが本発明の上流側センサに相当する。センサ５Ｂは、原稿読取部７よりも給紙方向の上流側に配置され原稿の有無を検出する。センサ５Ｂが本発明の上流側センサに相当する。
【００２０】
制御部３は、センサ５Ａ，５Ｂの検出結果に基づいて、ジャム等による搬送停止時に報知情報を生成し出力する。表示部２は本発明の報知部に相当し、制御部３の生成した報知情報に基づく報知表示を行う。
【００２１】
図２は、通常の原稿搬送時の原稿の動きを説明する図である。ここでは、２枚の原稿１０Ａ，１０Ｂが原稿載置台４に載置された場合の例を説明する。当初、原稿載置台４には原稿１０Ａ，１０Ｂが載置されていて、センサ５Ａの検出信号がＯＮし、センサ５Ｂの検出信号はＯＦＦしている。
【００２２】
１枚目の原稿１０Ａが接した状態でピックアップローラ６が回転すると、同図（Ａ）に示すように原稿１０Ａが原稿載置台４から搬送路９に給紙される。このとき、原稿１０Ａの上流端がセンサ５Ａの検出位置を通過するが、センサ５Ａの検出位置には２枚目の原稿１０Ｂが存在するので、センサ５Ａの検出信号はＯＮしたままである。
【００２３】
この後、同図（Ｂ）に示すように原稿１０Ａの下流端がセンサ５Ｂの検出位置を通過すると、センサ５Ｂの検出信号がＯＮする。そして、原稿１０Ａの下流端が原稿読取部７の読取位置を通過し、原稿読取部７による原稿１０Ａの画像読み取りが開始される。そして、原稿１０Ａの上流端がピックアップローラ６から離れて原稿１０Ａの下流端が高速搬送ローラ８に到達すると、原稿１０Ｂがピックアップローラ６に接する。
【００２４】
この後、同図（Ｃ）に示すように原稿１０Ａの上流端と原稿１０Ｂの下流端とが重なった状態で、原稿１０Ｂが原稿載置台４から搬送路９に給紙される。このとき、高速搬送ローラ８は、ピックアップローラ６よりも速い搬送速度で原稿１０Ａを搬送するので、原稿１０Ａと原稿１０Ｂとの重なりは、原稿１０Ａ，１０Ｂが搬送路９を進むに従い減ることになる。
【００２５】
この後、同図（Ｄ）に示すように原稿１０Ａの上流端が原稿１０Ｂの下流端から離れ、原稿１０Ａと原稿１０Ｂとの間に紙間が形成される。そして、原稿１０Ａの上流端がセンサ５Ｂの検出位置を通過すると、センサ５Ｂの検出信号がＯＦＦする。そして、原稿１０Ａの上流端が原稿読取部７の読取位置を通過すると、原稿読取部７が原稿１０Ａの画像の読み取りを終了する。
【００２６】
ここで制御部３は、センサ５Ｂの検出状態が一定時間継続することにより、ジャム等による原稿の搬送停止を判定する。搬送停止の判定後、制御部３はセンサ５Ａ，５Ｂの検出結果の組み合わせに応じた報知情報を生成して出力する。表示部２は、報知情報に基づいて原稿載置台に載置し直すべき原稿の枚数を表示する。なお、表示する内容は、原稿の枚数以外、例えば、原稿が滞留している場所を示す情報や、滞留している原稿の除去手順を示す情報であっても良い。
【００２７】
図３は、制御部３が出力する報知情報により表示部２に表示される原稿載置台４に載置し直すべき原稿の枚数と、センサ５Ａ，５Ｂの検出結果の対応を示す図である。ここでは、搬送停止の判定後にセンサ５Ａおよびセンサ５Ｂが共に原稿を検出する場合に、原稿載置台４に載置し直すべき原稿の枚数を２枚として表示し、少なくとも一方が原稿を検出しない場合に、原稿載置台４に載置し直すべき原稿の枚数を１枚として表示する。
【００２８】
図４は、１枚の原稿１０Ａのみが原稿載置台４に載置された場合に、原稿の搬送停止が起こる状態の例を説明する図である。
【００２９】
同図（Ａ）は、原稿１０Ａの下流端がセンサ５Ａとセンサ５Ｂとの間に位置し、上流端がセンサ５Ａよりも上流側に位置する状態で原稿１０Ａがジャムする一例である。この状態では、センサ５Ａのみが原稿１０Ａを検出し、センサ５Ａの検出信号がＯＮ、センサ５Ｂの検出信号がＯＦＦとなる。制御部３では、センサ５Ｂの検出信号が所定期間ＯＦＦすることから搬送停止を判定する。この判定時間の間にもピックアップローラ６および高速搬送ローラ８は回転するが、原稿１０Ａは搬送停止した状態を維持する。判定時間の経過後、制御部３がピックアップローラ６および高速搬送ローラ８の原稿搬送を中止させるための制御信号を出力する。制御部３は、センサ５Ａの検出信号のみがＯＮするので、原稿載置台４に載置し直す原稿の枚数が１枚であることを表示部２に表示させる報知情報を表示部２に出力する。これにより、表示部２に、搬送停止した原稿の枚数が１枚である旨の表示を行う。したがって、この表示を見た利用者は、原稿１０Ａを搬送路９から除去して原稿載置台４に載置し直す復帰処理を行うように促される。
【００３０】
同図（Ｂ）は、原稿１０Ａの下流端がセンサ５Ａとセンサ５Ｂとの間に位置し、上流端もセンサ５Ａとセンサ５Ｂとの間に位置する状態で原稿１０Ａがジャムする一例である。この状態では、センサ５Ａとセンサ５Ｂとの検出信号がともにＯＦＦとなる。制御部３はセンサ５Ｂの検出信号が所定期間ＯＦＦすることから搬送停止を判定する。この判定時間の間にもピックアップローラ６および高速搬送ローラ８は回転するが、原稿１０Ａは搬送停止した状態を維持する。判定時間の経過後、制御部３がピックアップローラ６および高速搬送ローラ８の原稿搬送を中止させるための制御信号を出力する。制御部３は、センサ５Ａおよびセンサ５Ｂの検出信号がともにＯＦＦなので、原稿載置台４に載置し直す原稿の枚数が１枚であることを表示部２に表示させる報知情報を表示部２に出力する。これにより、表示部２に、搬送停止した原稿の枚数が１枚である旨の表示を行う。したがって、この表示を見た利用者は、原稿１０Ａを搬送路９から除去して原稿載置台４に載置し直す復帰処理を行うように促される。
【００３１】
同図（Ｃ）は、原稿１０Ａの下流端がセンサ５Ｂよりも給紙方向下流側に位置し、上流端がセンサ５Ａとセンサ５Ｂとの間に位置する状態で原稿１０Ａがジャムする一例である。この状態では、センサ５Ｂのみが原稿１０Ａを検出して、センサ５Ａの検出信号がＯＦＦ、センサ５Ｂの検出信号がＯＮとなる。制御部３はセンサ５Ｂの検出信号が所定期間ＯＮすることから搬送停止を判定する。この判定時間の間にもピックアップローラ６および高速搬送ローラ８は回転するが、原稿１０Ａは搬送停止した状態を維持する。判定時間の経過後、制御部３がピックアップローラ６および高速搬送ローラ８の原稿搬送を中止させるための制御信号を出力する。制御部３は、センサ５Ｂの検出信号のみがＯＮするので、原稿載置台４に載置し直す原稿の枚数が１枚であることを表示部２に表示させる報知情報を表示部２に出力する。これにより、表示部２に、搬送停止した原稿の枚数が１枚である旨の表示を行う。したがって、この表示を見た利用者は、原稿１０Ａを搬送路９から除去して原稿載置台４に載置し直す復帰処理を行うように促される。
【００３２】
図５は、２枚の原稿１０Ａ，１０Ｂが原稿載置台４に載置された場合に、原稿１０Ａの搬送停止が起こる状態の例を説明する図である。
【００３３】
同図（Ａ）は、原稿１０Ａの下流端がセンサ５Ａとセンサ５Ｂとの間に位置し、上流端がピックアップローラ６よりも上流側に位置する状態で原稿１０Ａがジャムする一例である。この状態では、センサ５Ａの検出信号がＯＮ、センサ５Ｂの検出信号がＯＦＦとなる。制御部３はセンサ５Ｂの検出信号が所定期間ＯＦＦするので搬送停止を判定する。この判定時間の間にもピックアップローラ６および高速搬送ローラ８は回転するが、原稿１０Ａは搬送停止した状態を維持する。判定時間の経過後、制御部３がピックアップローラ６および高速搬送ローラ８の原稿搬送を中止させるための制御信号を出力する。制御部３は、センサ５Ａの検出信号のみがＯＮするので、原稿載置台４に載置し直す原稿の枚数が１枚であることを表示部２に表示させる報知情報を表示部２に出力する。これにより、表示部２に、搬送停止した原稿の枚数が１枚である旨の表示を行う。したがって、この表示を見た利用者は、原稿１０Ａを搬送路９から除去して原稿載置台４に載置し直す復帰処理を行うように促される。
【００３４】
同図（Ｂ）は、上流搬送路９Ａの下流端がセンサ５Ｂよりも下流側に位置し、上流端が上流搬送路９Ａで原稿１０Ｂの下流端と重なる状態で原稿１０Ａがジャムする一例である。この状態では、センサ５Ｂの検出信号がＯＮ、センサ５Ａの検出信号がＯＮとなる。制御部３はセンサ５Ｂの検出信号が所定期間ＯＮするので、搬送停止を判定する。この判定時間の間にもピックアップローラ６および高速搬送ローラ８は回転するが、原稿１０Ａは搬送停止した状態を維持する。判定時間の経過後、制御部３がピックアップローラ６および高速搬送ローラ８の原稿搬送を中止させるための制御信号を出力する。制御部３は、センサ５Ａおよびセンサ５Ｂの検出信号がともにＯＮを出力するので、原稿載置台４に載置し直す原稿の枚数が２枚であることを表示部２に表示させる報知情報を表示部２に出力する。これにより、表示部２に、搬送停止した原稿の枚数が２枚である旨の表示を行う。したがって、この表示を見た利用者は、原稿１０Ａおよび原稿１０Ｂを搬送路９から除去して原稿載置台４に載置し直す復帰処理を行うように促される。
【００３５】
同図（Ｃ）は、下流搬送路９Ｂにて原稿１０Ａの上流端と原稿１０Ｂの下流端との間に紙間が形成され、原稿１０Ａの上流端がセンサ５Ｂよりも上流側に位置する状態で原稿１０Ａがジャムする一例である。この状態では、センサ５Ｂの検出信号がＯＮ、センサ５Ａの検出信号がＯＮとなる。制御部３はセンサ５Ｂの検出信号が所定期間ＯＮするので搬送停止を判定する。この判定時間の間にもピックアップローラ６および高速搬送ローラ８は回転するため、原稿１０Ａが搬送停止した状態を維持する一方、原稿１０Ｂはピックアップローラ６により搬送され、原稿１０Ａの間の紙間が詰まる。この判定時間の経過後、制御部３がピックアップローラ６および高速搬送ローラ８の原稿搬送を中止させるための制御信号を出力する。制御部３は、センサ５Ａおよびセンサ５Ｂの検出信号がともにＯＮするので、原稿載置台４に載置し直す原稿の枚数が２枚であることを表示部２に表示させる報知情報を表示部２に出力する。これにより、表示部２に、搬送停止した原稿の枚数が２枚である旨の表示を行う。したがって、この表示を見た利用者は、原稿１０Ａおよび原稿１０Ｂを搬送路９から除去して原稿載置台４に載置し直す復帰処理を行うように促される。
【００３６】
図６は、２枚の原稿１０Ａ，１０Ｂが原稿載置台４に載置された場合に、原稿１０Ｂの搬送停止が起こる状態の例を説明する図である。
【００３７】
同図（Ａ）は、上流搬送路９Ａにて原稿１０Ａの上流端と原稿１０Ｂの下流端とが重なる状態で原稿１０Ｂがジャムする一例である。この状態では、センサ５Ｂの検出信号がＯＮ、センサ５Ａの検出信号がＯＮとなる。原稿１０Ｂがジャムしても、高速搬送ローラ８により原稿１０Ａは搬送され続けるので、この後、原稿１０Ａは搬送され、センサ５Ｂの検出信号がＯＦＦする。制御部３はセンサ５Ｂの検出信号が所定期間ＯＦＦするので搬送停止を判定する。判定時間の経過後、制御部３がピックアップローラ６および高速搬送ローラ８の原稿搬送を中止させるための制御信号を出力する。制御部３は、センサ５Ａの検出信号のみがＯＮするので、原稿載置台４に載置し直す原稿の枚数が１枚であることを表示部２に表示させる報知情報を表示部２に出力する。これにより、表示部２に、搬送停止した原稿の枚数が１枚である旨の表示を行う。したがって、この表示を見た利用者は、原稿１０Ｂを搬送路９から除去して原稿載置台４に載置し直す復帰処理を行うように促される。
【００３８】
同図（Ｂ）は、下流搬送路９Ｂにて原稿１０Ａの上流端と原稿１０Ｂの下流端との間に紙間が形成された状態で原稿１０Ｂがジャムする一例である。この状態では、センサ５Ｂの検出信号がＯＦＦ、センサ５Ａの検出信号がＯＮとなる。原稿１０Ｂがジャムしても、高速搬送ローラ８により原稿１０Ａは搬送され続けるので、この後、原稿１０Ａは搬送される。制御部３はセンサ５Ｂの検出信号が所定期間ＯＦＦするので搬送停止を判定する。判定時間の経過後、制御部３がピックアップローラ６および高速搬送ローラ８の原稿搬送を中止させるための制御信号を出力する。制御部３は、センサ５Ａの検出信号のみがＯＮするので、原稿載置台４に載置し直す原稿の枚数が１枚であることを表示部２に表示させる報知情報を表示部２に出力する。これにより、表示部２に、搬送停止した原稿の枚数が１枚である旨の表示を行う。したがって、この表示を見た利用者は、原稿１０Ｂを搬送路９から除去して原稿載置台４に載置し直す復帰処理を行うように促される。
【００３９】
同図（Ｃ）は、下流搬送路９Ｂにて原稿１０Ａの上流端と原稿１０Ｂの下流端との間に紙間が形成された状態で原稿１０Ｂがジャムする一例である。この状態では、センサ５Ａの検出信号がＯＦＦ、センサ５Ｂの検出信号がＯＮする。原稿１０Ｂがジャムしても、高速搬送ローラ８により原稿１０Ａは搬送され続けるので、この後、原稿１０Ａは搬送される。制御部３はセンサ５Ｂの検出信号が所定期間ＯＮするので搬送停止を判定する。判定時間の経過後、制御部３がピックアップローラ６および高速搬送ローラ８の原稿搬送を中止させるための制御信号を出力する。制御部３は、センサ５Ｂの検出信号のみがＯＮするので、原稿載置台４に載置し直す原稿の枚数が１枚であることを表示部２に表示させる報知情報を表示部２に出力する。これにより、表示部２に、搬送停止した原稿の枚数が１枚である旨の表示を行う。したがって、この表示を見た利用者は、原稿１０Ｂを搬送路９から除去して原稿載置台４に載置し直す復帰処理を行うように促される。
【００４０】
以上のように、この原稿読取装置１では、センサ５Ａとセンサ５Ｂとの、２つのセンサによる原稿の検出結果に基づいて、連続搬送が止まったときに装置内に残留する原稿の枚数に関する報知を行い、利用者に原稿の除去処理を促すことができる。このため、センサの数を抑えて装置の小型化やコストダウンを行い、制御の簡略化によるバグ発生率の低下、開発の早期化などを実現しながら連続搬送を行うことができる。
【００４１】
次に、本発明に係る画像形成装置として、デジタル複合機の実施形態を説明する。
【００４２】
図７は、デジタル複合機１１の概略の斜視図である。このデジタル複合機１１は、コピーモード、ファクシミリモード、及びプリンタモード等を選択的に行うことができる。コピーモードでは、デジタル複合機１１は原稿の画像を読取って記録用紙に印刷する。ファクシミリモードでは、デジタル複合機１１は原稿の画像を読み取って公衆回線を介して送信したり、公衆回線を介して画像を受信して記録用紙に印刷したりする。プリンタモードではデジタル複合機１１は情報端末装置からネットワークを通じて受信した画像を記録用紙に印刷する。
【００４３】
デジタル複合機１１は、その構成を大別すると原稿読取装置１２および画像形成部１３を備えている。原稿読取装置１２は原稿載置台１２Ａと原稿排紙台１２Ｂとを備え、コピーモードやファクシミリモードでの動作時に、原稿載置台１２Ａに載置される原稿から原稿画像を読み取り、原稿排紙台１２Ｂに排紙する。画像形成部１３は記録紙原稿載置台１３Ａと記録紙排紙台１３Ｂとを備え、コピーモードやプリンタモードでの動作時に、記録紙原稿載置台１３Ａから給紙される記録紙に、原稿読取装置１２で読み取った原稿画像を形成して記録紙排紙台１３Ｂに排紙する。
【００４４】
図８は原稿読取装置１２の概略の断面図である。この原稿読取装置１２は、通常読取モードや連続読取モードで動作可能である。通常読取モードでは、原稿読取装置１２は１枚ずつ原稿の給紙動作を行う。連続読取モードでは、連続して給紙動作を行う。以下、連続読取モードでの動作を中心に、原稿読取装置１２を説明する。
【００４５】
原稿読取装置１２は、筐体２１とピックアップローラ２２と捌きローラ２３と高速搬送ローラ２４と高速搬送ローラ２５と排紙ローラ２６とセンサ部２７Ａ，２７Ｂとプラテン部２８と原稿読取部２９とを備える。ピックアップローラ２２と捌きローラ２３と高速搬送ローラ２４，２５と排紙ローラ２６とは、図示しない一つの駆動モータにより駆動される。
【００４６】
筐体２１は、給紙口２１Ａと排紙口２１Ｂとが形成されている。給紙口２１Ａには原稿載置台１２Ａが設けられている。排紙口２１Ｂには原稿排紙台１２Ｂが設けられている。筐体２１内には、給紙口２１Ａから排紙口２１Ｂまで、ピックアップローラ２２、捌きローラ２３、高速搬送ローラ２４、高速搬送ローラ２５、排紙ローラ２６の順に配置されて、主搬送路が構成されている。
【００４７】
ピックアップローラ２２は本発明の給紙部材に相当し、捌きローラ２３に基端が接続されたアーム(不図示)の先端に設けられていて、捌きローラ２３に連動して上下動および回転自在に構成されている。捌きローラ２３は、その下方を通過することができる原稿の厚みを規制し、複数の原稿が搬送されてきても下方の原稿に大きな摩擦力を作用させて、原稿が捌かれるように構成している。捌きローラ２３はワンウェイギアを介して駆動モータの回転が伝達されて、駆動モータの正転時に時計回り方向に回転し、駆動モータの逆転時に回転停止するように構成されている。また、捌きローラ２３は回転停止した状態で図示しないソレノイドがＯＮされると、ソレノイドがＯＮされている間は捌きローラ２３が回転停止した状態を維持するように構成されている。ピックアップローラ２２は、上昇位置に有る場合に、駆動モータの正転駆動により捌きローラ２３が回転停止した状態から回転を開始する際に、下降位置に移動するように構成されている。また、下降位置に有る場合に、駆動モータの逆転駆動により捌きローラ２３が回転を停止した状態となる際に、上昇位置に移動するように構成されている。
【００４８】
高速搬送ローラ２４は本発明の高速搬送部材であり、主搬送路の原稿読取部２９よりも上流側に設けられていて、駆動モータの回転が伝達されるように構成されている。具体的には、駆動モータの正転時に反時計回り方向に回転し、駆動モータの逆転時に時計回り方向に回転する。また、捌きローラ２３よりも高速に原稿を搬送するようにギア比が設定され、ニップ力が捌きローラ２３よりも強くなるように構成されている。したがって、高速搬送ローラ２４が把持する原稿の後端が捌きローラ２３に把持されていても、捌きローラ２３による搬送速度の制限を受けずに原稿を高速に搬送する。これにより、高速搬送ローラ２４が搬送する原稿は搬送速度が速くなり、捌きローラ２３と高速搬送ローラ２４との間で、高速搬送ローラ２４に把持される原稿が後続する原稿の下流端から離れて原稿間に紙間が形成されることになる。このため、主搬送路に本発明の下流搬送路４０Ｂと上流搬送路４０Ａとが構成される。
【００４９】
高速搬送ローラ２５は、主搬送路の原稿読取部２９よりも下流側に設けられていて、搬送ローラ２４と等しい速度で原稿を搬送する。また、駆動モータの正転駆動時と逆転駆動時とで接続される遊星ギアが切り替わるように構成されていて、駆動モータの正転駆動および逆転駆動に関わらず反時計回り方向に回転するように構成されている。搬送ローラ２５の下方には従動ローラ２５Ｂが設けられていて、搬送ローラ２５と従動ローラ２５Ｂとが主搬送路の一部を構成している。また、搬送ローラ２５の上方には従動ローラ２５Ｃが設けられていて、搬送ローラ２５と従動ローラ２５Ｃとが、原稿の搬送方向を反転させて原稿を原稿読取部２９の上流側の主搬送路に搬出する反転搬送路の一部を構成している。
【００５０】
排紙ローラ２６は、筐体２１の排紙口２１Ｂの直前に設けられていて、駆動モータの正転時に時計回り方向に回転し、駆動モータの逆転時に反時計回り方向に回転する。
【００５１】
センサ部２７Ａは揺動自在に設けられた揺動片と、揺動片の有無を検出するセンサとから構成されている。このセンサ部２７Ａでは、原稿と接する状態の揺動片をセンサで検出することで、原稿載置台１２Ａに載置される原稿を検知する。センサ部２７Ｂも揺動自在に設けられた揺動片と、揺動片の有無を検出するセンサとから構成されていて、原稿と接する状態の揺動片をセンサで検出することで、高速搬送ローラ２５に把持される原稿を検知する。
【００５２】
原稿読取部２９は、主搬送路の原稿読取位置に設けられていて、高速搬送ローラ２４の下流でプラテン部２８と対向し、プラテン部２８との間に搬送されてくる原稿から画像を読み取る。
【００５３】
この原稿読取装置１２では連続読取モードでの動作時に、連続して給紙動作を行い、複数の原稿から連続して片面の画像を読み取って排紙する。
【００５４】
連続読取モードでの動作時に、駆動モータが正転駆動する。駆動モータの正転駆動により、ピックアップローラ２２は、原稿に接する下降位置で時計回り方向に回転し、原稿載置台１２Ａ上に載置される原稿を主搬送路に給紙する。捌きローラ２３は時計回り方向に回転して、給紙された原稿を主搬送路の下流側に送り、複数の原稿が重なって給紙された際に原稿を捌く。高速搬送ローラ２４は反時計回り方向に回転して、搬送されてくる原稿を主搬送路の下流側に送る。高速搬送ローラ２４の周面はピックアップローラ２２や捌きローラ２３よりも高速に移動し、捌きローラ２３に把持されている原稿の搬送速度を上げて原稿の後端を捌きローラ２３から引き抜き、この原稿と後続する原稿との間に紙間を形成する。センサ部２７Ｂは搬送ローラ２４に把持される原稿を検知する。原稿読取部２９は搬送されてくる原稿の画像を読み取る。高速搬送ローラ２５は反時計回り方向に回転して原稿を主搬送路の下流側に搬送する。排紙ローラ２６は時計回り方向に回転して原稿を原稿排紙台１２Ｂに排紙する。
【００５５】
なお、この原稿読取装置１２では通常読取モードの際に、原稿の両面から画像を読み取ることを可能にするために、高速搬送ローラ２５の上方に反転搬送路を設けている。原稿両面から画像を読み取る際には、片面画像を読み取った原稿の上流端を高速搬送ローラ２５の下流側まで搬送した後で、駆動モータを逆転駆動させ、この原稿を反転搬送路に搬送する。
【００５６】
この原稿読取装置１２では、図示しない制御部がセンサ部２７Ｂの検出状態が一定時間継続することを条件として、ジャム等により原稿が搬送停止したと判定する。その場合、搬送停止の判定後にセンサ部２７Ａ，２７Ｂの検出結果の組み合わせに応じた報知情報を生成し、表示部は原稿載置台１２Ａに載置し直すべき原稿の枚数を表示する。ここで、原稿載置台１２Ａに載置し直すべき原稿の枚数と、センサ部２７Ａ，２７Ｂの検出結果の対応は、前述の図３と同様である。搬送停止の判定時にセンサ部２７Ａおよびセンサ部２７Ｂが共に原稿を検出する場合に、原稿載置台１２Ａに載置し直すべき原稿の枚数を２枚として表示し、少なくとも一方が原稿を検出しない場合に、原稿載置台１２Ａに載置し直すべき原稿の枚数を１枚として表示する。
【００５７】
制御部でジャム等による搬送停止を判定した場合など、連続読取モードでの連続搬送動作を中止する際には、この原稿読取装置１２では一時的に駆動モータを逆転駆動する。これにより、ピックアップローラ２２が下降位置から上昇位置に移動し、ピックアップローラ２２の周面が原稿から離れて主搬送路への原稿の給紙が停止する。
【００５８】
図９は、ジャム等による原稿の搬送停止が起こる状態の例を説明する図である。
【００５９】
１枚のみ原稿載置台１２Ａに載置された原稿３０Ａが、下流端がセンサ部２７Ａとセンサ部２７Ｂとの間に位置し、原稿上流端がセンサ部２７Ａよりも上流側に位置する状態で原稿３０Ａがジャムする一例である。この状態では、センサ部２７Ａの検出信号がＯＮ、センサ部２７Ｂの検出信号がＯＦＦとなる。制御部はセンサ部２７Ｂの検出信号が所定期間ＯＦＦするので搬送停止を判定する。この判定時間の間にも駆動モータは正転駆動するが、原稿３０Ａはジャムにより搬送停止した状態を維持する。判定時間の経過後、制御部が駆動モータを一時的に逆転駆動させるための制御信号を出力し、ピックアップローラ２２を上昇位置に移動させる。この際、制御部は、センサ部２７Ａの検出信号のみがＯＮするので、原稿載置台１２Ａに載置し直す原稿の枚数が１枚であることを表示部に表示させる報知情報を表示部に出力する。これにより、表示部が搬送停止した原稿の枚数が１枚である旨の表示を行う。したがって、この表示を見た利用者は、原稿１０Ａを搬送路から除去して原稿載置台１２Ａに載置し直す復帰処理を行うように促される。
【００６０】
図１０は、原稿の連続搬送停止が起こる状態の例を説明する図である。
【００６１】
２枚の原稿載置台１２Ａに載置された原稿３０Ａ，３０Ｂのうち、後続の原稿３０Ｂが、原稿下流端がセンサ部２７Ａとセンサ部２７Ｂとの間に位置し、原稿上流端がセンサ部２７Ａよりも上流側に位置するまで搬送された状態で原稿３０Ｂがジャムする一例である。同図（Ａ）に示すジャムの発生時には、センサ部２７Ａの検出信号がＯＮ、センサ部２７Ｂの検出信号がＯＮとなる。搬送停止の判定までは、高速搬送ローラ２４，２５により原稿３０Ａは搬送され続けるので、この後、同図（Ｂ）に示すように、原稿３０Ａは搬送され、センサ部２７Ｂの検出信号がＯＦＦする。制御部はセンサ部２７Ｂの検出信号が所定期間ＯＦＦするので搬送停止を判定する。判定時間の経過後、制御部が駆動モータを一時的に逆転駆動させるための制御信号を出力する。制御部は、センサ部２７Ａの検出信号のみがＯＮするので、原稿載置台１２Ａに載置し直す原稿の枚数が１枚であることを表示部に表示させる報知情報を表示部に出力する。これにより、表示部に、搬送停止した原稿の枚数が１枚である旨の表示を行う。したがって、この表示を見た利用者は、原稿３０Ｂを搬送路から除去して原稿載置台１２Ａに載置し直す復帰処理を行うように促される。
【００６２】
図１１は、原稿の連続搬送停止が起こる状態の例を説明する図である。
【００６３】
原稿載置台１２Ａに載置された原稿３０Ａ，３０Ｂ，３０Ｃのうち、先頭の原稿３０Ａの原稿上流端がセンサ部２７Ｂよりも上流側に位置する状態で原稿３０Ａがジャムする一例である。この状態では、センサ部２７Ａの検出信号がＯＮ、センサ部２７Ｂの検出信号がＯＮとなる。制御部はセンサ部２７Ｂの検出信号が所定期間ＯＮするので搬送停止を判定する。この判定時間の間にも駆動モータは正転駆動し、原稿１０Ｂは搬送され、原稿１０Ｂと原稿１０Ａとの紙間が詰まる。この判定時間の経過後、制御部が駆動モータを一時的に逆転駆動させるための制御信号を出力する。制御部は、センサ部２７Ａおよびセンサ部２７Ｂの検出信号がともにＯＮするので、原稿載置台１２Ａに載置し直す原稿の枚数が２枚であることを表示部に表示させる報知情報を表示部に出力する。これにより、表示部に、搬送停止した原稿の枚数が２枚である旨の表示を行う。したがって、この表示を見た利用者は、原稿３０Ａおよび原稿３０Ｂを搬送路から除去して原稿載置台１２Ａに載置し直す復帰処理を行うように促される。
【００６４】
図１２は、原稿の連続搬送停止が起こる状態の例を説明する図である。
【００６５】
１枚の原稿載置台１２Ａに載置された原稿３０Ａが、原稿上流端がセンサ部２７Ａよりも上流側に位置する状態で原稿３０Ａがジャムする一例である。この状態では、センサ部２７Ａの検出信号がＯＦＦ、センサ部２７Ｂの検出信号がＯＮとなる。制御部はセンサ部２７Ｂの検出信号が所定期間ＯＮするので搬送停止を判定する。この判定時間の間にも駆動モータは駆動するが、原稿３０Ａはジャムにより搬送停止した状態を維持する。判定時間の経過後、制御部が駆動モータを一時的に逆転駆動させるための制御信号を出力する。制御部は、センサ部２７Ｂの検出信号のみがＯＮするので、原稿載置台１２Ａに載置し直す原稿の枚数が１枚であることを表示部に表示させる報知情報を表示部に出力する。これにより、表示部に、搬送停止した原稿の枚数が１枚である旨の表示を行う。したがって、この表示を見た利用者は、原稿３０Ａを搬送路から除去して原稿載置台１２Ａに載置し直す復帰処理を行うように促される。
【００６６】
図１３は、原稿の連続搬送停止が起こる状態の例を説明する図である。
【００６７】
原稿載置台１２Ａに載置された原稿３０Ａ，３０Ｂ，３０Ｃのうち、原稿３０Ａの原稿上流端が捌きローラ２３と高速搬送ローラ２４との間に位置し、下流端がセンサ２７Ｂよりも下流側に位置する状態で原稿３０Ａがジャムする一例である。この状態では、センサ部２７Ａの検出信号がＯＮ、センサ２７Ｂの検出信号がＯＮとなる。制御部はセンサ部２７Ｂの検出信号が所定期間ＯＮするので搬送停止を判定する。この判定時間の間にも駆動モータは駆動するが、原稿３０Ａは搬送停止した状態を維持する。判定時間の経過後、制御部が駆動モータを一時的に逆転駆動させるための制御信号を出力する。制御部は、センサ部２７Ａおよびセンサ部２７Ｂの検出信号がともにＯＮするので、原稿載置台１２Ａに載置し直す原稿の枚数が２枚であることを表示部に表示させる報知情報を表示部に出力する。これにより、表示部に、搬送停止した原稿の枚数が２枚である旨の表示を行う。したがって、この表示を見た利用者は、原稿３０Ａ，３０Ｂを搬送路から除去して原稿載置台１２Ａに載置し直す復帰処理を行うように促される。
【００６８】
図１４は、原稿の連続搬送停止が起こる状態の例を説明する図である。
【００６９】
原稿載置台１２Ａに載置された１枚の原稿３０Ａの原稿上流端が捌きローラ２３と高速搬送ローラ２４との間に位置し、原稿下流端が高速搬送ローラ２４よりも下流側に位置する状態でジャムする一例である。この状態では、センサ部２７Ａの検出信号がＯＦＦ、センサ部２７Ｂの検出信号がＯＮとなる。制御部はセンサ部２７Ｂの検出信号が所定期間ＯＮするので搬送停止を判定する。この判定時間の間にも駆動モータは駆動するが、原稿３０Ａは搬送停止した状態を維持する。判定時間の経過後、制御部が駆動モータを一時的に逆転駆動させるための制御信号を出力する。制御部は、センサ部２７Ｂの検出信号にのみがＯＮするので、原稿載置台１２Ａに載置し直す原稿の枚数が１枚であることを表示部に表示させる報知情報を表示部に出力する。これにより、表示部に、搬送停止した原稿の枚数が１枚である旨の表示を行う。したがって、この表示を見た利用者は、原稿３０Ａを搬送路から除去して原稿載置台１２Ａに載置し直す復帰処理を行うように促される。
【００７０】
以上のように、この原稿読取装置１２では、２つのセンサによる原稿の検出結果に基づいて、連続搬送が止まったときに装置内に残留する原稿の枚数に関する報知を行い、利用者に原稿の除去処理を促すことができる。このため、センサの数を抑えて装置の小型化やコストダウンを行い、制御の簡略化によるバグ発生率の低下、開発の早期化などを実現しながら連続搬送を行うことができる。
【００７１】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００７２】
【図１】本発明の第１の実施形態に係る原稿読取装置の概略のブロック図である。
【図２】同原稿読取装置の通常動作を説明する図である。
【図３】同原稿読取装置のセンサ検出結果と報知情報との関係を説明する図である。
【図４】同原稿読取装置の搬送停止時の動作例を説明する図である。
【図５】同原稿読取装置の搬送停止時の動作例を説明する図である。
【図６】同原稿読取装置の搬送停止時の動作例を説明する図である。
【図７】本発明の第２の実施形態に係る画像形成装置の概略の斜視図である。
【図８】同画像形成装置の備える原稿読取装置の概略の断面図である。
【図９】同原稿読取装置の搬送停止時の動作例を説明する図である。
【図１０】同原稿読取装置の搬送停止時の動作例を説明する図である。
【図１１】同原稿読取装置の搬送停止時の動作例を説明する図である。
【図１２】同原稿読取装置の搬送停止時の動作例を説明する図である。
【図１３】同原稿読取装置の搬送停止時の動作例を説明する図である。
【図１４】同原稿読取装置の搬送停止時の動作例を説明する図である。
【符号の説明】
【００７３】
１…原稿読取装置
２…表示部
３…制御部
４…原稿載置台
５Ａ，５Ｂ…センサ
６…ピックアップローラ
７…原稿読取部
８…高速搬送ローラ
９Ａ…上流搬送路
９Ｂ…下流搬送路
１１…デジタル複合機
１２…原稿読取装置
１２Ａ…原稿載置台
１２Ｂ…原稿排紙台
２１…筐体
２２…ピックアップローラ
２３…捌きローラ
２４，２５…高速搬送ローラ
２６…排紙ローラ
２７Ａ，２７Ｂ…センサ部
２８…プラテン部
１０，３０…原稿
【図１】
2010016682.tif 000003
【図２】
2010016682.tif 000004
【図３】
2010016682.tif 000005
【図４】
2010016682.tif 000006
【図５】
2010016682.tif 000007
【図６】
2010016682.tif 000008
【図７】
2010016682.tif 000009
【図８】
2010016682.tif 000010
【図９】
2010016682.tif 000011
【図１０】
2010016682.tif 000012
【図１１】
2010016682.tif 000013
【図１２】
2010016682.tif 000014
【図１３】
2010016682.tif 000015
【図１４】
2010016682.tif 000016